(57)【要約】【課題】突起と嵌合溝との位置合わせの手間が要らず、しかも蓋体の外れた感触を得られる印褥具を提供する。【解決手段】中央に印褥体収容部３と該印褥体収容部３を囲む環状壁４とを備えた容器本体１と、該容器本体１を覆う蓋体２からなる。容器本体１は、環状壁４の外周面に複数の嵌合溝５を有し、蓋体は、底面に前記嵌合溝５に嵌合係止する複数の突起７を有する。前記環状壁４の外周面には、蓋体の突起７を嵌合溝５に案内するための周方向に延びる導入路８を形成した。導入路８は、嵌合溝側の端部及びその反対側の端部にそれらの中間部分１０よりも傾斜角度の大きい短斜面９Ａ、９Ｂを備えている。【選択図】図５
2013184474.tif 000002
【特許請求の範囲】
【請求項１】
中央に印褥体収容部と該印褥体収容部を囲む環状壁とを備えた容器本体と、該容器本体を覆う蓋体とからなる印褥具において、
該容器本体は、環状壁の外周面に複数の嵌合溝を有するものであり、蓋体は、底面に前記嵌合溝に嵌合係止する複数の突起を有するものであり、
前記環状壁の外周面には、蓋体の突起を嵌合溝に案内するための周方向に延びる導入路が形成され、該導入路は、嵌合溝側の端部及びその反対側の端部にそれらの中間部分よりも傾斜角度の大きい短斜面を備えたものであることを特徴とする印褥具。
【請求項２】
前記中間部分は平坦面であることを特徴とする請求項１に記載の印褥具。
【発明の詳細な説明】
【技術分野】
【０００１】
本発明は、朱肉入れやスタンプ台等の印褥具に関するものである。
【背景技術】
【０００２】
一般的な朱肉入れ等の印褥具は、特許文献１に示すように印褥体を収納した扁平な容器本体とその上面を覆う扁平な蓋体とからなるものであり、蓋体と容器本体との間には特別な係止手段は設けられていないのが普通である。しかしこのように単に蓋体を被せただけの印褥具は鞄に入れて持ち運びの途中に蓋体が外れ、他の書類等に朱肉やインクが付着したりする可能性がある。
【０００３】
一般に容器本体に蓋体を係止する構造として、容器本体又は蓋体の一方に形成した突起を他方に形成した嵌合溝に挿入し、この状態で蓋体を回転させることにより、容器本体に蓋体を係止するものが広く知られている。例えば、特許文献２に記載された印判は、蓋体の裏面又は容器本体の上面中央のうち一方に突起を形成し、他方に円形凸部を形成し、かつこの円形凸部の周面に前記突起を嵌合係止させる嵌合溝を形成したものである。しかしこの構造を朱肉入れ等の印褥具に適用した場合には、蓋体の裏面が見えないために突起を嵌合溝に正確に位置合わせして嵌め込むのに手間取るという問題がある。
【０００４】
また特許文献３には、突起を嵌合溝に導くための導入路を設けることにより、上記した位置合わせの困難性を解消した押印装置が開示されている。しかしこの構造を全体が扁平な印褥具に適用した場合には、蓋体と容器本体との係止部分の高さを十分に確保しにくいため、導入路の傾斜角度を非常に小さくせざるを得ず、蓋体が係止された感触や蓋体が外れた感触を得にくいという問題があった。
【先行技術文献】
【特許文献】
【０００５】
【特許文献１】特開２０１１−１２６０７２号公報
【特許文献２】特開２０００−１０８４７６号公報
【特許文献３】特開２００１−１９９１４３号公報
【発明の概要】
【発明が解決しようとする課題】
【０００６】
したがって本発明の目的は前記した従来の問題点を解決し、突起と嵌合溝との位置合わせの手間が要らず、しかも蓋体の外れた感触を得られる印褥具を提供することである。
【課題を解決するための手段】
【０００７】
上記課題を解決するためになされた本発明は、中央に印褥体収容部と該印褥体収容部を囲む環状壁とを備えた容器本体と、該容器本体を覆う蓋体とからなる印褥具において、該容器本体は、環状壁の外周面に複数の嵌合溝を有するものであり、蓋体は、底面に前記嵌合溝に嵌合係止する複数の突起を有するものであり、前記環状壁の外周面には、蓋体の突起を嵌合溝に案内するための周方向に延びる導入路が形成され、該導入路は、嵌合溝側の端部及びその反対側の端部にそれらの中間部分よりも傾斜角度の大きい短斜面を備えたものであることを特徴とするものである。好ましい実施形態においては、前記中間部分は平坦面であるが、緩斜面としても差し支えない。
【発明の効果】
【０００８】
本発明に係る印褥具は、容器本体の印褥体収容部を囲む環状壁の外周面に、蓋体の突起を嵌合溝に案内するための周方向に延びる導入路を形成したものである。このため、単に容器本体に蓋体を被せて回転させれば、蓋体の突起は導入路上を移動しながら自然と嵌合溝の挿入口に導かれるので、突起と嵌合溝との位置合わせをする手間が要らない。また、前記導入路は嵌合溝側の端部及びその反対側の端部に、それらの中間部分よりも傾斜角度の大きい短斜面を備えている。これにより、蓋体の突起が導入路の端部を移動する際に上下方向の変位を感じることができ、蓋体が嵌り込む感触又は外れる感触を創出することができる。
【図面の簡単な説明】
【０００９】
【図１】本発明の実施形態の斜視図である。
【図２】本発明の実施形態の正面図である。
【図３】図１のＡ−Ａ断面図である。
【図４】図２のＢ−Ｂ断面図である。
【図５】容器本体の斜視図である。
【図６】蓋体の斜視図である。
【図７】容器本体の正面図である。
【図８】容器本体の左側面図である。
【図９】導入路の展開図である。
【発明を実施するための形態】
【００１０】
以下に本発明の好ましい実施形態を示す。
図１は印褥具の代表例である朱肉入れの斜視図であり、図５は容器本体１の斜視図、図６は蓋体２の斜視図である。この印褥具は、扁平な容器本体１に扁平な蓋体２を被せ、周方向に回転させることによって蓋体２を容器本体１に着脱可能とするものである。容器本体１は上面中央を円形に切り欠いた中空体であり、この中空部が朱肉を含浸させた印褥体収容部３となっている。容器本体１の上面には、印褥体収容部３を囲む環状壁４が立設形成され、その内側から印褥体の表面が露出している。この環状壁４の外周面には、対向方向に一対の嵌合溝５が切欠き形成されている。本実施形態では、嵌合溝５は容器本体１の対角線上に一対形成されている。この嵌合溝５は、環状壁４の天面と繋がる縦溝５Ａとこの縦溝５Ａに連通する横溝５Ｂとからなり、この嵌合溝５に後述の蓋体２の裏面の突起７を嵌合係止させることにより、蓋体２を容器本体１に装着する構造である。さらに、横溝５Ｂには突起７を横溝５Ｂ内に留置するためのロック用突起１１が縦方向に形成されている。これにより、突起７が横溝５Ｂに嵌合係止された感触を得られるとともに、横溝５Ｂ内から不用意に抜け出ることを防止できる。本実施形態では、ロック用突起１１は片方の横溝５Ｂに設けられているが、両方に設けても差支えない。
【００１１】
一方蓋体２の裏面の四隅には、環状壁４の外周面と接触して蓋体２の位置決めを行うとともに回転を補助するガイド壁６が形成されており、このガイド壁の一部に一対の突起７を形成している。この突起７は、図３、図６に示すように、ガイド壁６の下端を内径方向に突出させて、前記嵌合溝５の上面に嵌合係止できるようにしたものである。なお、嵌合溝５及び突起７の数は一対に限定されるものではなく、複数個であればよい。
【００１２】
また、環状壁４の外周面には、蓋体２の突起７を嵌合溝５に案内するための周方向に延びる導入路８が形成されている。導入路８は環状壁４の外周面を周方向に切り欠いて形成されたもので、本実施形態では環状壁４の半周毎に２箇所形成されている。図７〜図９に示すように、導入路８の中間部分１０は平坦面あるいは傾斜角度の小さい緩斜面となっており、両端は中間部分１０よりも傾斜角度の大きい短斜面９となっている。嵌合溝５側の短斜面９Ｂは嵌合溝５の縦溝５Ａに向かって下降しており、その反対側の短斜面９Ａは環状壁４の天面につながっている。この導入路８は全体として、右ねじとなっている。
【００１３】
このように構成された本発明の印褥具は、蓋体２を容器本体１に被せて右方向に回転させれば、この回転に伴って蓋体１の裏面の突起７は導入路８上を移動し、短斜面９Ｂから嵌合溝５に案内される。すなわち、突起７は導入路８の平坦面上を蓋閉方向（図９の左方向）にスライドし、続いて嵌合溝５側の短斜面９Ｂを下降する。その後、嵌合溝５に向かってスライドしながら横溝５Ｂに嵌合し、ロック用突起１１を乗り越えて、横溝５Ｂの終端面に当接して停止する。こうして図３及び図４に示す蓋閉状態となる。この状態において、蓋体２の裏面外周縁は容器本体１の上面に当接して、蓋体２のガタツキを防止している。このように、蓋体２を単に蓋閉方向に回転させるだけで突起７を容易かつ確実に嵌合溝５に導くことができるので、従来のように突起７を嵌合溝５に直接位置合わせする手間が不要となる。また突起７が短斜面９Ｂを下降する際に、嵌まり込む感触を得ることができる。さらにロック用突起１１を設けることにより、突起７が横溝５Ｂに嵌合係止したクリック感を得られるとともに、横溝５Ｂ内から不用意に抜け出ることを防止できる。
【００１４】
蓋体２を開くときには、蓋体２を左方向に回転させれば、蓋体１の裏面の突起７は横溝５Ｂから離脱し、短斜面９Ｂに達すると急速に上方に持ち上げられ、蓋体２が浮き上がった感触を創出することができる。しかしそのまま蓋体２を回転させれば、蓋体１の裏面の突起７は導入路８の平坦面上を蓋開方向（図９の右方向）にスライドし、短斜面９Ａの位置で再度急速に上方に持ち上げられる。このようにして、蓋体２が浮き上がった感触を創出することができる。
【００１５】
上記したように、本発明の印褥具は扁平であって容器本体１と蓋体２との係合部分の高さを大きく取ることができないにもかかわらず、蓋体２を蓋閉方向に回転したときは短斜面９Ｂの位置で蓋体２が容器本体１に嵌り込む感触を得られ、反対に蓋体２を蓋開方向に回転したときは短斜面９Ａおよび９Ｂの位置で蓋体２が持ち上がる感触を創出できる。また蓋体２をどの位置で容器本体１に被せても、蓋体２の突起７が必ず導入路８の上に当たり、嵌合溝５に導くことができるので、嵌合溝５の挿入口である縦溝５Ａと突起７とを正確に位置合わせする手間がかからない。従って従来のように、突起７を嵌合溝５に直接位置合わせする手間が不要となる利点がある。しかも蓋体２を確実に容器本体１に係止させておくことができるので、運搬中に印褥体が露出することも防止することができる。
【符号の説明】
【００１６】
１  容器本体
２  蓋体
３  印褥体収容部
４  環状壁
５  嵌合溝
６  ガイド壁
７  突起
８  導入路
９  短斜面
１０  中間部分
１１  ロック用突起
【図１】
2013184474.tif 000003
【図２】
2013184474.tif 000004
【図３】
2013184474.tif 000005
【図４】
2013184474.tif 000006
【図５】
2013184474.tif 000007
【図６】
2013184474.tif 000008
【図７】
2013184474.tif 000009
【図８】
2013184474.tif 000010
【図９】
2013184474.tif 000011